(57)【要約】【課題】  屋根の下地材と屋根瓦との間の空隙に対する外気の通気性を向上させるとともに、前記空隙高さが大きくなったために軒先の下地材が雨水に曝され易くなったのを抑止する。【解決手段】  屋根１０の下地材１１と屋根瓦１４との空隙Ｓ１を外気が這い上がる構造の通気性屋根において、前記下地材に固定される屋根桟木１３を複数個の短尺支承部材１２により支承させるとともに、屋根桟木と交差するように配置する。また、下地材と軒先Ａの軒先瓦１４ａとの間に形成される空隙Ｓ１に通気性を付与する通気部２５と、それらから連続して垂下する庇部２６とからなる軒先部材２３を屋根の軒先に固定する。  【選択図】  図１
2009062692.tif 000002
【特許請求の範囲】
【請求項１】
下地材（１１）と、その下地材の上に所定間隔をおいて複数個固定される支承部材（１２）と、それらの支承部材の上に水平に固定される屋根桟木（１３）と、その屋根桟木に係止・固定される屋根瓦（１４）とからなる屋根（１０）において、前記支承部材として短尺支承部材を使用するとともに、その短尺支承部材を屋根桟木と交差させたことを特徴とする通気性屋根構造。
【請求項２】
下地材（１１）と、その下地材の上に所定間隔をおいて複数個固定される支承部材（１２）と、それらの支承部材の上に水平に固定される屋根桟木（１３）と、その屋根桟木に係止・固定される屋根瓦（１４）とからなる屋根（１０）において、前記下地材と軒先（Ａ）の軒先瓦（１４ａ）との間に所定の空隙（Ｓ２）を形成するとともに、その空隙に通気性を付与する通気部（２５）とその通気部から連続して垂下する庇部（２６）とからなる軒先部材（２３）を屋根の軒先に固定したことを特徴とする通気性屋根構造。
【請求項３】
下地材（１１）と、その下地材の上に所定間隔をおいて複数個固定される支承部材（１２）と、それらの支承部材の上に水平に固定される屋根桟木（１３）と、その屋根桟木に係止・固定される屋根瓦（１４）とからなる屋根（１０）において、前記支承部材として短尺支承部材を使用するとともに、その短尺支承部材を屋根桟木と交差させ、さらに前記下地材と軒先（Ａ）の軒先瓦（１４ａ）との間に所定の空隙（Ｓ２）を形成するとともに、その空隙に通気性を付与する通気部（２５）から連続して垂下する庇部（２６）とからなる軒先部材（２３）を屋根の軒先に固定したことを特徴とする通気性屋根構造。
【請求項４】
前記短尺支承部材（１２）は、短尺角材である請求項１又は請求項３に記載の通気性屋根構造。
【請求項５】
前記通気部（２５）は、多孔を有する板材からなる請求項２又は請求項３に記載の通気性屋根構造。
【発明の詳細な説明】
【技術分野】
【０００１】
本発明は、屋根の下地材と、その上に固定された屋根桟木に係止・固定された屋根瓦との間に外気を通気させる構造の通気性屋根構造に関するものである。
【背景技術】
【０００２】
従来、屋根の野地板と、その上に屋根桟木を介して固定される屋根瓦との間を這い上がる外気の通気性を促進する通気性屋根構造として、特開２００５−１８８２５４号公報に記載の技術が知られている。この公知技術によると、その通気性屋根構造は、図１３に示すように、下地材である野地板１と、その下地材１の上に所定間隔をおいて複数本、固定された支承部材２と、それらの支承部材２の上に水平に固定された屋根桟木３と、その屋根桟木３に係止・固定される屋根瓦４とから構成されている。また、軒先Ａにおいて野地板１の下端部にはハニカム状通気孔を有する積層通気部材５が固定されており、さらにその上に面戸部材６が重ねられている。そして、前記野地板１において前記面戸部材６の固定位置から一段上の位置に配設された屋根桟木３に対して、軒先瓦４ａの尻部Cが係止・固定されるとともに、その軒先瓦４ａの頭部Ｄが前記面戸部材６により支承されている。
【０００３】
この公知技術においては、前記支承部材２として、軒先Ａから棟側Ｂに向かって連続して延びる長尺縦桟木が使用される。そのため、この公知技術は、屋根瓦４として平板瓦が使用される場合、軒先Ａにおいて前記積層通気部材５を通った外気が、まず野地板１と軒先瓦４ａとの間に形成された空隙Ｓ１に導入される。そしてさらに続いて、外気が斜め上方に這い上がるとき、前記支承部材２が長尺な縦桟木から構成されているため、外気は、相隣接する支承部材２間に形成される方形の斜め煙突状空隙Ｓ２を通って、棟部Ｂに向かって上昇する構造になっている。
【特許文献１】特開２００５−１８８２５４号公報
【発明の開示】
【発明が解決しようとする課題】
【０００４】
そのため、前記公知技術に係る通気性屋根構造は、外気を野地板１上の全面に自由に流通させず、その結果、外気の流体抵抗が増大し、ひいては通気性屋根構造の通気効率を向上させるには限度があるという問題（第一問題）がある。また、軒先Ａにおいて野地板１と軒先瓦４ａとの間の空隙高さＨ１が比較的大きくなるので、面戸部材６から斜め前方に所定長さ突出して、面戸部材６を雨水から保護するという軒先瓦４ａの庇効果が発揮されないという問題（第二問題）がある。
【０００５】
そこで、本発明者は、上記問題を解消し得る通気性屋根構造を求めて、鋭意、検討したところ、公知技術において使用される長尺縦桟木を断続化すれば、前記第一問題の解決は可能であり、また、公知技術における積層通気部材の構造・形状を変更して、前記空隙に対して通気性を付与する通気部と、それから連続して垂下する庇部とを有する軒先部材を使用すれば、前記第二問題の解決が可能であるとの事実を見出し、本発明を完成した。
【０００６】
従って、本発明の第一の課題は、下地材と、その下地材上に所定間隔をおいて複数個固定された支承部材と、それらの支承部材の上に水平に固定された屋根桟木と、その屋根桟木に係止・固定される屋根瓦とからなる屋根において、前記下地材と屋根瓦との間に形成される空隙に対して、外気を面状に這い上がらせて、前記屋根の通気性を向上させることにあり、第二の課題は、前記屋根を通気性構造にした場合に、その屋根の軒先の下地材と軒先瓦との間の空隙高さを所定以下に維持しなければないないという宿命的構造に起因して、前記軒先の下地材等が雨水に曝され易くなるという問題を解消することにある。
【課題を解決するための手段】
【０００７】
本発明は前記第一の課題を解決するために、下地材と、その下地材の上に所定間隔をおいて複数個固定される支承部材と、それらの支承部材の上に水平に固定される屋根桟木と、その屋根桟木に係止・固定される屋根瓦とからなる屋根において、前記支承部材として短尺支承部材を使用するとともに、その短尺支承部材を屋根桟木と交差させるという手段を採用する。なお、ここで「短尺支承部材を屋根桟木と交差させる」とは、短尺支承部材の長さを屋根桟木の幅より大きくして、それを下地材の上に固定して屋根桟木を支承させたとき、短尺支承部材が屋根桟木の幅方向に向かって所定の長さを以って延出するという意味であり、単純な交差、又はT字形の交差状態である。
【０００８】
この手段を採用することにより、前記屋根桟木は、所定間隔をおいて複数個、固定される短尺支承部材で支承されるとともに、その短尺支承部材と交差するように下地材の上に固定されるので、下地材と屋根瓦との間に形成される空隙は、従来技術と異なり、下地材上に面状に広がる。その結果、前記屋根において前記空隙を這い上がる外気流の通気性は飛躍的に向上する。また、前記短尺支承部材は、屋根桟木と交差するように、下地材の上に固定されるので、屋根桟木が短尺支承部材の上に安定して固定され、転がる虞がない。
【０００９】
また、本発明は前記第二の課題を解決するために、下地材と、その下地材の上に所定間隔をおいて複数個固定される支承部材と、それらの支承部材の上に水平に固定される屋根桟木と、その屋根桟木に係止・固定される屋根瓦とからなる屋根において、前記下地材と軒先の屋根瓦との間に所定の空隙を形成するとともに、その空隙に通気性を付与する通気部と、その通気部から連続して垂下する庇部とからなる軒先部材を屋根の軒先に固定するという手段を採用する。
【００１０】
この手段を採用することにより、前記軒先部材の庇部が、下地材の前面側を遮り、外方から吹き付ける風雨から下地材を保護する。
【００１１】
さらに、本発明においては、前記第一、第二の課題を同時に解決するために、下地材と、その下地材の上に所定間隔をおいて複数個固定される支承部材と、それらの支承部材の上に水平に固定される屋根桟木と、その屋根桟木に係止・固定される屋根瓦とからなる屋根において、前記支承部材として短尺支承部材を使用するとともに、その短尺支承部材を屋根桟木と交差させ、さらに前記下地材と軒先の屋根瓦との間に所定の空隙を形成するとともに、その空隙に通気性を付与する通気部と、その通気部から連続して垂下する庇部とからなる軒先部材を屋根の軒先に固定するという手段を採用する。これにより、本発明の通気性屋根構造は、上述した作用・効果を同時に発揮する。
【発明の効果】
【００１２】
本発明は、下地材と、その下地材の上に固定される支承部材と、それらの支承部材上に水平に固定される屋根桟木と、その屋根桟木に係止・固定される屋根瓦とからなる屋根において、前記下地材と屋根瓦との間に形成される空隙に対して、外気を面状に這い上がらせ、ひいては、前記屋根の通気性を向上させることができるとともに、前記軒先の下地材等が雨水に曝されるのを抑止することができるという優れた効果を発揮する。
【発明を実施するための最良の形態】
【００１３】
次に、図面を参照しながら、本発明を実施するための最良の形態について詳述する。
【実施例１】
【００１４】
図１〜図３に示すように、本発明に係る屋根１０は、公知技術と同様に、野地板と防水シート等からなる下地材１１と、その下地材１１の上に所定間隔をおいて複数個固定される支承部材１２と、それらの短尺支承部材１２の上に水平に固定された複数本の屋根桟木１３と、それらの屋根桟木１３に係止・固定される屋根瓦１４とからなる。
【００１５】
しかしながら、本発明に係る通気性屋根構造において使用される支承部材１２は好適には、図４に示すように、例えば、幅が２５ｍｍ、高さが３０ｍｍ、長さが７０ｍｍの木製又は合成樹脂製の短尺角材（以下、短尺角材とも称する）からなり、その裏面に付着されている感圧接着材又は上方から打ち込まれる釘等により、屋根桟木１３と交差するように前記下地材１１上に固定される。
【００１６】
前記屋根桟木１３及び屋根瓦１４も公知の形状・構造のものが使用されるが、本発明においてはその特有の効果を顕著に発揮させるために、屋根瓦１４として平板瓦が使用される。
【００１７】
本発明において使用される平板瓦１４は、図１に示すように、そこに降下する降雨の殆どを受ける露出平板部１５と、下地材１１上において左側に隣接して葺かれる他の平板瓦の右縁部裏側に差し込まれる差込部１６と、同様に右側に隣接して葺かれる他の平板瓦の差込部１６を被覆する被覆部１７と、尻部C側において前記露出平板部１５より一段高く段差状に形成された水切り部１８とを少なくとも包含している。また、この平板瓦１４は、前記水切り部１８の略中央寄りの部位には、フック状の係止突起１９を備えており、その平板瓦１４の一段上位に千鳥葺きされる他の平板瓦の差込部を係止可能になっている。
【００１８】
次に、本発明に係る通気性屋根構造が、どのように構築されるかを、図１〜図３を参照しながら、説明すると、野地板と防水シートとからなる下地材１２上に墨付けしたり、糸を張ったりして、屋根桟木１３が固定される位置決めをする。そしてその位置に所定間隔をおいて支承部材としての短尺角材１２を接着材又は釘によりその長手方向が屋根１０の軒先Ａから棟部Ｂ（棟部Ｂから軒先Ａ）を向くように固定して、その上に固定される屋根桟木１３と交差可能にする。
【００１９】
続いて、それら複数個の短尺角材１２の上に屋根桟木１３を載せ、その上から、図５に示すように、長尺な釘２０を打ち込んで、屋根桟木１３と短尺角材１２とを下地材１１の上に一体的に固定する。
【００２０】
なお、次に述べる軒先Ａに屋根瓦として軒先瓦１４ａを葺くに当たって、屋根桟木１３と短尺角材１２とを下地材１１の上に一体的に固定される前に又は固定された後に、軒先Ａ側の下地材１１上において、前記短尺角材１２の下流位置には、前記短尺角材１２の高さＨ１と実質上同じ高さＨ２の軒先支承部材２１が、軒先Ａの水平方向に所定間隔をおいて、複数個、固定されるとともに、それらの上に屋根桟木１３より大きな厚みＨ３を有する連続した長尺面戸部材２２がそれぞれ固定される。
【００２１】
このように、下地材１１の上に軒先支承部材２１及び面戸部材２２、並びに短尺角材１２及び屋根桟木１３が配置・固定されたら、軒先Ａ側から屋根桟木１３の上に軒先瓦１４ａを、次いで平板瓦１４を係止・固定しながら、平板瓦１４を千鳥状に葺き上げ、最後に、周知の工法により棟部Ｂを完成すれば、本発明に係る通気性屋根構造が完成する。
【００２２】
この通気屋根構造においては、図１に示すように、短尺角材１２が下地材１１上に点在的に固定されるので、図２、図３及び図５に示すように、軒先Ａにおいて下地材１１、軒先支承部材２１及び面戸部材２２によって形成される開口Ｅを通じて、外気が矢印ａで示すように下地材１１と平板瓦１４との間に形成される空隙Ｓ２に侵入し、続いて軒先Ａ側から棟部Ｂ側に向かって面状に這い上がる。従って、外気が空隙Ｓ２を線状に這い上がる公知技術に係る通気屋根構造より、本発明に係る通気屋根構造の通気効率が飛躍して向上する。
【実施例２】
【００２３】
本発明に係る他の通気屋根構造は、図５に示すように、屋根１０の軒先Ａ側において、下地材１１と、その下地材１１の上に固定される短尺角材１２の高さＨ１と実質上同じ高さＨ２の短尺支承部材２１と、その短尺支承部材２１の上に固定される、屋根桟木１３より大きな厚みＨ３を有する長尺面戸部材２２と、前記短尺支承部材２１と長尺面戸部材２２の間に一端部が挟持・固定される軒先部材２３とから構成されている。
【００２４】
そして、前記長尺面戸部材２２の前面は、それから突出している軒先瓦１４ａの頭部Ｄの下方に隠れ、短尺支承部材２１の前面は、軒先部材２３の通気部（後述する）の一部分により被覆されるようになっている。また、前記下地材１１、相対峙する二つの短尺支承部材２１及び長尺面戸部材２２に包囲される開口Ｅから自然に導入された外気が矢印ａに示すように、下地材１１と軒先瓦１４ａとの間の空隙Ｓ２に導入される。
【００２５】
前記軒先部材２３は、図６及び図７に示すように、短冊状の金属板又は合成樹脂板の幅方向の途中を屈曲形成して得た１枚の屈曲板状体からなり、長手方向に添う一つの縁部２３ａ側に形成された板状の取付部２４と、その取付部２４の中央部寄り部位において幅方向に曲げ形成された通気部２５と、さらに前記軒先部材２３の他の縁部２３ｂ寄り部位において幅方向に曲げ形成された板状の庇部２６を備えている。そして、前記通気部２５には長方形の通気孔２７が２列に多数個透設されている。
【００２６】
この構造を有する軒先部材２３は、図５に示すように、前記取付部２４を短尺支承部材２１と面戸部材２２との間に挟持させることにより、軒先Ａに固定され、その通気部２５が、前記下地材１１、二つの短尺支承部材２１及び長尺面戸部材２２に包囲される開口Ｅを通気可能に遮るとともに、前記通気部２５に形成されている非通気部２５ａと前記庇部２６とが前記下地材１１の端面側を覆う。従って、本発明に係る通気性屋根機構において前記庇部２６が、非通気性屋根構造において前記軒先瓦１４ａが果たしている前記下地材１１を覆う庇機能を果たしていると言える。
【００２７】
本発明は、その根本的技術思想を踏襲し発明の効果を著しく損なわない限度において、前述した実施形態の一部分を変更して、実施することができる。例えば、図８に示すように、短尺角材１２に対して屋根桟木１３の一部分が嵌合する嵌入溝２８を設けることができる。同じく、図９に示すように、単に短尺角材１２に対して屋根桟木１３を交差させることもできる。
【００２８】
さらに、図１０及び図１１に示すように、通気部２５における非通気部２５ａを取付部２４側に大きくとって、図１２に示すように、その取付部２４を面戸部材２２の上面に固定し、前記非通気部２５ａにより面戸部材２２の前面を覆うようにするとこもできる。
【産業上の利用可能性】
【００２９】
本発明に係る通気性屋根構造は、下地材とその上に葺設される屋根瓦との間に通気機能を付与する傾斜屋根に広く利用することができる。
【図面の簡単な説明】
【００３０】
【図１】本発明に係る通気性屋根構造の部分破断斜視図である。
【図２】同部分側面図である。
【図３】図２におけるX−X矢視断面図である。
【図４】本発明に係る短尺支承部材の一使用形態を示す部分斜視図である。
【図５】図２におけるY部分の拡大図である。
【図６】本発明に係る軒先部材の部分破断斜視図である。
【図７】同部材の縦断面図である。
【図８】本発明に係る短尺支承部材の別の使用形態を示す部分斜視図である。
【図９】同様にさらに別の形態を示す部分斜視図である。
【図１０】本発明に係る軒先部材の別の形態を示す部分破断斜視図である。
【図１１】同じく縦断面図である。
【図１２】本発明に係る通気性屋根構造の別の形態を示す要部拡大図である。
【図１３】従来技術に係る通気性屋根構造の部分断面図である。
【符号の説明】
【００３１】
１：下地材（野地板）、２：支承部材、３：屋根桟木、４：屋根瓦、４ａ：軒先瓦、５：積層通気部材、６：面戸部材、１０：屋根、１１：下地材（野地板）、１２：短尺角材（短尺支承部材）、１３：屋根桟木、１４：屋根瓦（平板瓦）、１４ａ：軒先瓦、１５：露出平板部、１６：差込部、１７：被覆部、１８：水切り部、１９：係止突起、２０：釘、２１：短尺支承部材、２２：面戸部材、２３：軒先部材、２３ａ、２３ｂ：縁部、２４：取付部、２５：通気部、２５ａ：非通気部、２６：庇部、２７：通気孔、２８：嵌入溝、Ａ：軒先、ａ：矢印、Ｂ：棟部、Ｃ：尻部、Ｄ：頭部、Ｅ：開口、Ｈ１：空隙高さ、Ｓ１、Ｓ２：空隙。
【図１】
2009062692.tif 000003
【図２】
2009062692.tif 000004
【図３】
2009062692.tif 000005
【図４】
2009062692.tif 000006
【図５】
2009062692.tif 000007
【図６】
2009062692.tif 000008
【図７】
2009062692.tif 000009
【図８】
2009062692.tif 000010
【図９】
2009062692.tif 000011
【図１０】
2009062692.tif 000012
【図１１】
2009062692.tif 000013
【図１２】
2009062692.tif 000014
【図１３】
2009062692.tif 000015